(57)【要約】【課題】計量装置の異常を検出できると共に、その異常の原因の究明を容易にすることを目的とする。【解決手段】電源オン時の零点重量値または電源オフ時の零点重量値を算出すると共に、それらに基づいて、電源オン期間である運転期間中の零点変動量または電源オフ期間である運転休止期間中の零点変動量を算出するようにしており、好ましくは、各期間の電源オン時または電源オフ時に対応する日時データを対応させて表示する。【選択図】図５
2015152561.tif 000002
【特許請求の範囲】
【請求項１】
被計量物の重量を測定する計量器を備え、前記計量器に被計量物が無い状態の重量値である零点重量値の測定が可能な計量装置において、
当該計量装置の電源がオンされている電源オン期間の、電源がオンされた時点の近傍の時点の零点重量値を、電源オン時の零点重量値として算出する零点重量値算出手段と、
前記電源オン期間の、電源がオンされた時点の前記近傍の時点より後の時点の零点重量値を、電源オン時以外の零点重量値として算出する零点重量値算出手段と、
電源オン時の前記零点重量値を記憶する記憶手段と、
同一の電源オン期間における電源オン時の前記零点重量値と電源オン時以外の前記零点重量値との差である電源オン期間中の零点変動量を算出する電源オン期間零点変動量算出手段と、
を備えることを特徴とする計量装置。
【請求項２】
被計量物の重量を測定する計量器を備え、前記計量器に被計量物が無い状態の重量値である零点重量値の測定が可能な計量装置において、
当該計量装置の電源がオンされている電源オン期間の、電源がオフされる時点の近傍の時点の零点重量値を電源オフ時の零点重量値として算出する零点重量値算出手段と、
前記電源オン期間の電源がオフされた後の次の電源オン期間の、電源がオンされる時点の近傍の時点の零点重量値を、電源オン時の零点重量値として算出する零点重量値算出手段と、
電源オフ時の前記零点重量値を記憶する記憶手段と、
前記記憶手段に記憶された電源オフ時の前記零点重量値と前記次の電源オン期間の電源オン時の前記零点重量値との差を、同一の電源オフ期間中の零点変動量として算出する電源オフ期間零点変動量算出手段と、
を備えることを特徴とする計量装置。
【請求項３】
前記電源オン期間の、電源がオンされた時点の前記近傍の時点より後の時点の零点重量値を、電源オン時以外の零点重量値として算出する前記零点重量値算出手段は、前記電源オン期間の、電源がオフされる時点の近傍の時点の零点重量値を、電源オフ時の零点重量値として算出するものであり、
前記記憶手段は、算出される電源オフ時の前記零点重量値を記憶するものであり、
前記電源オン期間零点変動量算出手段は、同一の電源オン期間における電源オン時の前記零点重量値と電源オフ時の前記零点重量値との差を、前記電源オン期間中の零点変動量として算出する、
請求項１に記載の計量装置。
【請求項４】
前記電源オン期間の、電源がオンされた時点の前記近傍の時点より後の時点の零点重量値を、電源オン時以外の零点重量値として算出する前記零点重量値算出手段は、前記電源オン期間の、零点調整が行われた時点の重量値を、零点調整時の零点重量値として算出するものであり、
前記電源オン期間零点変動量算出手段は、同一の電源オン期間における電源オン時の前記零点重量値と零点調整時の前記零点重量値との差を、前記電源オン期間中の零点変動量として算出する、
請求項１または３に記載の計量装置。
【請求項５】
前記電源オン期間零点変動量算出手段または前記電源オフ期間零点変動量算出手段で算出される電源オン期間中の零点変動量または電源オフ期間中の零点変動量を出力する出力手段を備える、
請求項１ないし４のいずれかに記載の計量装置。
【請求項６】
前記電源オン期間零点変動量算出手段または前記電源オフ期間零点変動量算出手段で算出される電源オン期間中の零点変動量または電源オフ期間中の零点変動量に基づいて、異常の有無を判定する判定手段を備える、
請求項１ないし５のいずれかに記載の計量装置。
【請求項７】
前記判定手段は、前記零点変動量と予め定めた許容値とを比較して、前記異常の有無を判定する、
請求項６に記載の計量装置。
【請求項８】
前記判定手段は、前記零点変動量に基づいて算出される評価値に基づいて、異常の有無を判定する、
請求項６または７に記載の計量装置。
【請求項９】
前記判定手段によって異常と判定されたときに、それを報知する報知手段を備える、
請求項６ないし８のいずれかに記載の計量装置。
【請求項１０】
日時を計時して日時データを生成する計時手段と、
前記電源がオンされた時点の近傍の時点に対応する前記計時手段による日時データ及び前記電源がオフされる時点の近傍の時点に対応する日時データの少なくともいずれか一方の日時データを記憶する日時データ記憶手段と、
を備える請求項１ないし９のいずれかに記載の計量装置。
【請求項１１】
前記日時データ記憶手段の前記少なくともいずれか一方の日時データを、前記電源オン期間中の零点変動量または前記電源オフ期間中の零点変動量に対応させて表示する表示手段を備える、
請求項１０に記載の計量装置。
【発明の詳細な説明】
【技術分野】
【０００１】
本発明は、台秤、トラックスケール、組合せ秤などの被計量物の重量を計量する各種の計量装置に関し、更に詳しくは、計量装置の異常を検出する技術に関する。
【背景技術】
【０００２】
従来、計量装置の異常を検出する技術として、計量装置の稼働運転中に、零点重量値の変動量を算出し、算出される零点重量値の変動量が、所定範囲外になったときに、計量装置に異常が発生したと判定するもの（特許文献１参照）、あるいは、計量装置の電源投入直後の重量値が、零点付近の所定範囲から外れているときには、異常であるとして報知するもの（特許文献２参照）などがある。
【先行技術文献】
【特許文献】
【０００３】
【特許文献１】特開２００５−１４７９２０号公報
【特許文献２】特開昭５５−２２１４１号公報
【発明の概要】
【発明が解決しようとする課題】
【０００４】
上記の異常検出では、稼働運転中の零点重量の変動量が、所定範囲外となったとき、あるいは、電源投入直後の重量値が、零点付近の所定範囲から外れているときに、異常と判定するものであるが、零点重量の変動には、その大部分の変動が、計量装置の電源が投入されている電源オン期間に生じる場合のみならず、電源が投入されていない電源オフ期間に生じる場合もある。
【０００５】
すなわち、計量装置では、電源オフ期間である運転休止期間中に、例えば、計量部を清掃したり、保守点検したり、レイアウト変更のために計量装置を移設したりする場合がある。かかる場合に、例えば、荷重センサへのロックを忘れ、清掃作業の方法が適切でなく誤って計量部へ過大な荷重をかけてしまうと、荷重センサの零点が異常な値になったり、あるいは、異常な値に至らずとも、零点が大きく変動することがあり、運転休止期間中にその値が累積されることがある。
【０００６】
また、運転期間中は、空調システムによって温度・湿度が適正に管理されているが、運転休止期間中は、空調システムが停止されて、計量装置の周囲温度が、低下する場合がある。計量装置の荷重センサが、ストレインゲージ式ロードセルの場合、運転休止期間中にロードセルの温度が下がると、ロードセルを収容したケース内に取り込まれた空気中の水分が結露し、水分に含まれる塩素、硫黄化合物などによってストレインゲージの腐食や絶縁不良が進行し、零点変動量が拡大することがある。
【０００７】
一方、電源オン期間である運転期間中には、計量部への被計量物の供給が不適切となって計量部に過大な衝撃荷重が加わったり、あるいは、荷重レベルはそれほど過大でなくても比較的大きな荷重が繰り返し加わり、一度の衝撃荷重では零点異常と判定されなくても、比較的大きい零点変動が積み重なることによって零点重量値が異常になることがある。
【０００８】
このように大きな零点変動の大部分の変動が、電源オフ期間である運転休止期間中に生じる場合もあるし、電源オン期間である運転期間中に生じる場合もある。
【０００９】
このため、上記特許文献１，２のように、電源オン期間に、零点重量の異常を検出しても、その検出時点で零点重量が所定範囲を外れたことが分かるのみであって、その異常の主要な原因が、運転期間中に生じたものであるのか、あるいは、運転休止期間中に生じたものであるかを把握することはできない。したがって、異常が生じた場合に、その原因を究明するのは容易でなく、その対策を講じるのに手間取ることになる。
【００１０】
例えば、運転休止期間中の清掃作業の不適切さのために大きく零点重量が変動し、運転期間中に、零点変動量が所定範囲外となって異常が検出された場合に、その原因が、希に起きる被計量物の不適切な供給による過大な衝撃荷重によるものではないか、あるいは、運転期間中の継続的な過負荷によるものではないかと推測し、運転期間中の被計量物の供給時の挙動ばかりを追跡調査すると、原因究明に多大な時間を無駄にすることになる。
【００１１】
本発明は、上記のような実情に鑑みてなされたものであって、計量装置の異常を検出できると共に、その異常原因の究明を容易にすることを目的とする。
【課題を解決するための手段】
【００１２】
上記目的を達成するために、本発明では、次のように構成している。
【００１３】
(１)本発明の計量装置は、被計量物の重量を測定する計量器を備え、前記計量器に被計量物が無い状態の重量値である零点重量値の測定が可能な計量装置において、
当該計量装置の電源がオンされている電源オン期間の、電源がオンされた時点の近傍の時点の零点重量値を、電源オン時の零点重量値として算出する零点重量値算出手段と、
前記電源オン期間の、電源がオンされた時点の前記近傍の時点より後の時点の零点重量値を、電源オン時以外の零点重量値として算出する零点重量値算出手段と、
電源オン時の前記零点重量値を記憶する記憶手段と、
同一の電源オン期間における電源オン時の前記零点重量値と電源オン時以外の前記零点重量値との差である電源オン期間中の零点変動量を算出する電源オン期間零点変動量算出手段とを備える。
【００１４】
電源がオンされた時点の近傍の時点とは、電源がオンされた時点を含む近傍の時点であって、例えば、電源がオンされた時点であってもよいし、電源がオンされた後に、初めて手動零点調整や自動零点調整が行われた時点であってもよく、あるいは、電源がオンされた後に、測定される重量値の絶対値が、初めて零点付近の所定の重量値以下になった時点としてもよい。
【００１５】
前記電源オン期間の、電源がオンされた時点の前記近傍の時点より後の時点とは、同一の電源オン期間において、前記近傍の時点よりも後の時点をいい、零点重量値が、電源オン時の零点重量値として算出される前記近傍の時点よりも後の時点、例えば、同一の電源オン期間において、電源がオフされる時点などをいう。
【００１６】
本発明の計量装置によると、電源オン時の零点重量値が算出されて記憶されると共に、同一の電源オン期間における電源オン時の零点重量値よりも後の時点の零点重量値である電源オン時以外の零点重量値が算出され、同一の電源オン期間における電源オン時の零点重量値とそれより後の時点の電源オン時以外の零点重量値との差である電源オン期間中の零点変動量が算出されるので、過大な零点変動が生じたような場合には、その零点変動が、電源オン時からその後の電源オン時以外の時点までの電源オン期間、すなわち、当該計量装置の運転期間中に生じたものであることを把握することが可能となり、過大な零点変動が生じた原因の究明が、従来例に比べて容易になる。
【００１７】
（２）本発明の計量装置は、被計量物の重量を測定する計量器を備え、前記計量器に被計量物が無い状態の重量値である零点重量値の測定が可能な計量装置において、
当該計量装置の電源がオンされている電源オン期間の、電源がオフされる時点の近傍の時点の零点重量値を電源オフ時の零点重量値として算出する零点重量値算出手段と、
前記電源オン期間の電源がオフされた後の次の電源オン期間の、電源がオンされる時点の近傍の時点の零点重量値を、電源オン時の零点重量値として算出する零点重量値算出手段と、
電源オフ時の前記零点重量値を記憶する記憶手段と、
前記記憶手段に記憶された電源オフ時の前記零点重量値と前記次の電源オン期間の電源オン時の前記零点重量値との差を、同一の電源オフ期間中の零点変動量として算出する電源オフ期間零点変動量算出手段とを備える。
【００１８】
電源がオフされる時点の近傍の時点とは、電源がオフされる時点を含む近傍の時点であって、例えば、電源がオフされる時点であってもよいし、電源がオフされる前に、最後に手動零点調整や自動零点調整が行われた時点であってもよく、あるいは、電源がオフされる前に、測定される重量値の絶対値が、最後に零点付近の所定の重量値以下になった時点としてもよい。
【００１９】
本発明の計量装置によると、電源オフ時の零点重量値が算出されて記憶されると共に、次の電源オン期間の電源オン時の零点重量値が算出され、電源オフ時の零点重量値と次の電源オン期間における電源オン時の零点重量値との差である同一の電源オフ期間中の零点変動量が算出されるので、過大な零点変動が生じたような場合には、その零点変動が、電源オフ期間、すなわち、当該計量装置の運転休止期間中に生じたものであることを把握することが可能となり、過大な零点変動が生じた原因の究明が、従来例に比べて容易になる。
【００２０】
なお、本発明の好ましい実施態様として、上記（１）の本発明の構成と、上記（２）の本発明の構成とを併せて備える構成としてもよい。
【００２１】
この場合、過大な零点変動が生じたようなときには、その零点変動が、電源オン期間、すなわち、当該計量装置の運転期間中に生じたものであるか、あるいは、電源オフ期間、すなわち、当該計量装置の運転休止期間中に生じたものであるかを把握することが可能となり、過大な零点変動が生じた原因の究明が、従来例に比べて一層容易になる。
【００２２】
（３）上記（１）の計量装置の好ましい実施態様では、前記電源オン期間の、電源がオンされた時点の前記近傍の時点より後の時点の零点重量値を、電源オン時以外の零点重量値として算出する前記零点重量値算出手段は、前記電源オン期間の、電源がオフされる時点の近傍の時点の零点重量値を、電源オフ時の零点重量値として算出するものであり、前記記憶手段は、算出される電源オフ時の前記零点重量値を記憶するものであり、前記電源オン期間零点変動量算出手段は、同一の電源オン期間における電源オン時の前記零点重量値と電源オフ時の前記零点重量値との差を、前記電源オン期間中の零点変動量として算出する。
【００２３】
この実施態様によると、過大な零点変動が生じたような場合には、その零点変動が、電源オン時から電源オフ時までの電源オン期間、すなわち、当該計量装置の運転期間中に生じたものであることを把握することが可能となり、過大な零点変動が生じた原因の究明が、従来例に比べて容易になる。
【００２４】
（４）上記（１）または（３）の計量装置の好ましい実施態様では、前記電源オン期間の、電源がオンされた時点の前記近傍の時点より後の時点の零点重量値を、電源オン時以外の零点重量値として算出する前記零点重量値算出手段は、前記電源オン期間の、零点調整が行われた時点の重量値を、零点調整時の零点重量値として算出するものであり、前記電源オン期間零点変動量算出手段は、同一の電源オン期間における電源オン時の前記零点重量値と零点調整時の前記零点重量値との差を、前記電源オン期間中の零点変動量として算出する。
【００２５】
零点調整は、手動零点調整であってもよいし、自動零点調整であってもよい。
【００２６】
この実施態様によると、電源オン時の零点重量値が算出されると共に、電源オン時以外の零点重量値として、零点調整が実施された時点の零点重量値である零点調整時の零点重量値が算出され、同一の電源オン期間における電源オン時の零点重量値と零点調整時の零点重量値との差である電源オン期間中の零点変動量が算出されるので、過大な零点変動が生じたような場合には、その零点変動が、電源オン時からその後の零点調整時までの電源オン期間、すなわち、当該計量装置の運転期間中に生じたものであることを把握することが可能となり、過大な零点変動が生じた原因の究明が、従来例に比べて容易になる。
【００２７】
（５）本発明の計量装置の好ましい実施態様では、前記電源オン期間零点変動量算出手段または前記電源オフ期間零点変動量算出手段で算出される電源オン期間中の零点変動量または電源オフ期間中の零点変動量を出力する出力手段を備える。
【００２８】
出力手段は、表示出力、音声出力、又は、印字出力、あるいは、それらを組合せて出力するものであってもよい。
【００２９】
この実施態様によると、電源オン期間である運転期間中の零点変動量、または、電源オフ期間である運転休止期間中の零点変動量が出力されるので、作業者は、出力される零点変動量に基づいて、過大な零点変動が生じているか否か、すなわち、異常の有無を容易に把握することができる。
（６）本発明の計量装置の他の実施態様では、前記電源オン期間零点変動量算出手段または前記電源オフ期間零点変動量算出手段で算出される電源オン期間中の零点変動量または電源オフ期間中の零点変動量に基づいて、異常の有無を判定する判定手段を備える。
【００３０】
この実施態様によると、判定手段によって、運転期間中または運転休止期間中の異常の有無が判定されるので、作業者が、零点変動量に基づいて、異常の有無を判断する必要がない。
【００３１】
（７）上記(６)の実施態様では、前記判定手段は、前記零点変動量と予め定めた許容値とを比較して、前記異常の有無を判定してもよい。
【００３２】
この実施態様によると、許容値を超えるような過大な零点変動が生じた場合には、異常と判定することができる。
【００３３】
（８）上記(６)または(７)の実施態様では、前記判定手段は、前記零点変動量に基づいて算出される評価値に基づいて、異常の有無を判定してもよい。
【００３４】
零点変動量に基づいて算出される評価値としては、例えば、複数の電源オン期間中の零点変動量の積算値や平均値、複数の電源オフ期間中の零点変動量の積算値や平均値、電源オン期間中における単位時間当たりの零点変動量、あるいは、電源オフ期間中における単位時間当たりの零点変動量などであり、複数の評価値に基づいて、異常の有無を判定するようにしてもよい。
【００３５】
この実施態様によると、零点変動量に基づいて算出される評価値に基づいて、異常の有無を判定するので、適切な評価値を用いることによって、異常の有無だけではなく、異常と判定されたときに、その異常の原因の特定が容易となる。
【００３６】
なお、本発明の好ましい実施態様として、上記（１）の本発明の構成と、上記（２）の本発明の構成とを併せて備える場合には、零点変動量に基づいて算出される評価値として、例えば、電源オン期間中の零点変動量と電源オフ期間中の零点変動量との比率、電源オン期間中の零点変動量と電源オフ期間中の零点変動量との差などを用いてもよい。
【００３７】
（９）上記（６）ないし(８)のいずれかの実施態様では、前記判定手段によって異常と判定されたときに、それを報知する報知手段を備える。
【００３８】
報知手段は、上記(５)の実施態様の前記出力手段で兼用してもよい。
【００３９】
この実施態様によると、異常と判定されたときには、その旨が報知されるので、作業者は、異常が生じたことを容易に把握することができ、その異常の原因を究明することができる。
【００４０】
（１０）本発明の計量装置の好ましい実施態様では、日時を計時して日時データを生成する計時手段と、前記電源がオンされた時点の近傍の時点に対応する前記計時手段による日時データ及び前記電源がオフされる時点の近傍の時点に対応する日時データの少なくともいずれか一方の日時データを記憶する日時データ記憶手段とを備える。
【００４１】
この実施態様によると、電源オン時の零点重量値に対応する時点の日時データ及び電源オフ時の零点重量値に対応する日時データの少なくともいずれか一方の日時データが記憶されるので、過大な零点変動が生じたような場合に、その零点変動が、いずれの電源オン期間又はいずれの電源オフ期間で生じたものであるかを把握するのが容易となる。
【００４２】
(１１)上記(１０)の実施態様では、前記日時データ記憶手段の前記少なくともいずれか一方の日時データを、前記電源オン期間中の零点変動量または前記電源オフ期間中の零点変動量に対応させて表示する表示手段を備える。
【００４３】
表示手段は、上記(５)の実施態様の前記出力手段で兼用してもよい。
【００４４】
この実施態様によると、電源オン時の零点重量値に対応する時点の日時データ及び電源オフ時の零点重量値に対応する日時データの少なくともいずれか一方の日時データを、電源オン期間中の零点変動量または前記電源オフ期間中の零点変動量に対応させて表示するので、過大な零点変動が生じたような場合に、その零点変動が、いずれの電源オン期間又はいずれの電源オフ期間で生じたものであるかを目視で確認することができ、過大な零点変動の原因の究明が容易となる。
【発明の効果】
【００４５】
本発明によると、過大な零点変動が生じたような場合には、その零点変動が、電源オン期間である運転期間中に生じたものであるか、あるいは、電源オフ期間である運転休止期間中に生じたものであるかを把握することが可能となり、過大な零点変動が生じた原因の究明が、従来例に比べて容易になる。
【図面の簡単な説明】
【００４６】
【図１】図１は本発明の一実施形態に係る計量装置のブロック図である。
【図２】図２は電源オフ期間及び電源オン期間を説明するための図である。
【図３】図３は動作説明に供するフローチャートである。
【図４】図４は図３に続く処理のフローチャートである。
【図５】図５は運転期間中の零点変動量及び運転休止期間中の零点変動量の表示例を示す図である。
【発明を実施するための形態】
【００４７】
以下、本発明の実施の形態を、図面を参照しながら詳細に説明する。
【００４８】
図１は、本発明の一実施形態に係る計量装置１のブロック図である。
【００４９】
この実施形態の計量装置１は、例えば、台秤であり、計量器２と指示計３とを備えている。
【００５０】
計量器２は、計量台(図示せず)を支持する荷重センサとして、例えば、ストレインゲージ式のロードセルＬＣを備えている。
【００５１】
指示計３は、ロードセルＬＣに電源を供給する電源回路１２と、ロードセルＬＣから出力されるアナログ荷重信号を増幅する演算増幅器４と、この演算増幅器４からのアナログ荷重信号をデジタル荷重信号に変換するＡ／Ｄ変換器５と、このＡ／Ｄ変換器５からのデジタル荷重信号に基づいて、被計量物の重量値、零点重量値及び後述の零点変動量の演算等を行うＣＰＵ６と、記憶手段としてのメモリ７と、設定データや操作指令を入力するためのキースイッチを有する入力部８と、重量値や後述の零点変動量等を表示出力する出力手段としての表示部９とを備えている。
【００５２】
メモリ７は、演算プログラム等が記憶されたＲＯＭ、設定値やスパン係数Ｋ等が記憶されるＥＥＰＲＯＭ、バッテリ１０で電源バックアップされたスタティックＲＡＭなどで構成される。スタティックＲＡＭには、後述の運転期間中及び運転休止期間中の零点重量値や零点変動量などが記憶される。
【００５３】
また、バッテリ１０は、日時データである現在の期日・時刻データを出力する計時手段としてのリアルタイムクロック素子１１の電源をバックアップする。
【００５４】
この実施形態の計量装置１では、零点重量値の変動である零点変動に基づいて、異常を検出できると共に、その異常の原因の究明を容易にするために、零点変動が、電源が投入されている電源オン期間中に生じたものであるか、あるいは、電源が投入されていない電源オフ期間中に生じたものであるかを区別して把握できるようにしている。
【００５５】
ここで、先ず、零点重量値及び零点調整について説明する。
【００５６】
図１の上記Ａ／Ｄ変換器５から出力されるデジタル荷重信号Ｗａｄによって、ＣＰＵ６では、被計量物の重量値Ｗｎを下記（１）式に従って算出する。
【００５７】
Ｗｎ＝Ｋ・（Ｗａｄ−Ｗｉ）−Ｗｚ  ・・・（１）
Ｋはスパン係数、Ｗｉは初期荷重値であり、それぞれメモリ７を構成する不揮発性メモリＭK、ＭWiに記憶される。また、Ｗｚは零点変動値であり、メモリ７を構成する不揮発性メモリＭWzに記憶される。
【００５８】
ここで、被計量物の重量値を表すＷｎを、表示部９に表示される表示重量値、測定したデジタル荷重信号Ｗａｄに基づいて算出されるＫ・（Ｗａｄ−Ｗｉ）を測定重量値と定義する。
【００５９】
計量装置１の調整時に、作業者は、先ず計量装置１の計量台上を、被計量物の無い無負荷状態にし、入力部８の初期荷重記憶指令スイッチ（図示せず）を操作すると、上記（１）式において、零点変動値Ｗｚ＝０、スパン係数Ｋ＝１とセットされ、読み込まれたデジタル荷重信号Ｗａｄの値が、初期荷重値Ｗｉとして不揮発性メモリＭWiヘストアされ、表示重量値Ｗｎは零になる。これによって初期荷重記憶操作が終了する。
【００６０】
次に、作業者は、既知の重量値である定格荷重の分銅を計量台上に載置し、そのときの表示重量値Ｗｎを表示させ、入力部８のスパン調整指令スイッチ(図示せず)を操作することによって、ＣＰＵ６では、表示重量値Ｗｎの値が、定格荷重の値になるようにスパン係数Ｋの値を決定する。決定されたスパン係数Ｋの値は、不揮発性メモリＭKに記憶される。これによってスパン調整操作が終了する。
【００６１】
この後、計量台上が無負荷であるにも拘らず、荷重センサの零点ドリフト等によってデジタル荷重信号Ｗａｄの値が、スパン調整時点から変動すると、表示重量値Ｗｎ≠０が表示される。
【００６２】
表示重量値Ｗｎの値が、Ｗｎ＝０であるかＷｎ≠０であるかに拘らず、計量台上が無負荷の状態におけるデジタル荷重信号Ｗａｄによる測定重量値Ｋ・（Ｗａｄ−Ｗｉ）の値を零点重量値と呼ぶ。
【００６３】
作業者が、入力部８の零点調整指令スイッチ(図示せず)を操作すると、
Ｗｎ＋Ｗｚ→Ｗｚ  ・・・（２）
と、表示重量値Ｗｎの変動分が、零点変動値Ｗｚへ加算（Ｗｎの極性によっては減算）され、不揮発性メモリＭWzに記憶されている零点変動値Ｗｚが更新されると共に、（１）式の表示重量値Ｗｎは零となり、零点調整が実施される。
（２）式の処理を行って表示重量値Ｗｎの値を０にすることを零点調整と呼ぶ。
【００６４】
この実施形態の計量装置１では、零点重量値の変動量を、電源がオンされている電源オン期間と、電源がオフされている電源オフ期間とで区別して算出し、算出される零点変動量に基づいて、異常の有無を判定するものである。
【００６５】
図２（ａ）は電源オフ期間ＴOFFにおける零点変動量の算出を、図２（ｂ）は電源オン期間ＴONにおける零点変動量の算出をそれぞれ説明するための図である。
【００６６】
図２（ａ）に示す電源オフ期間ＴOFFにおける零点変動量を算出するために、前回の電源オン期間ＴON1において電源がオフされた時点ｔ１の近傍の時点の零点重量値である電源オフ時の零点重量値と、今回の電源オン期間ＴON2において電源がオンされた時点ｔ２の近傍の時点の零点重量値である電源オン時の零点重量値とをそれぞれ算出して記憶しておく。そして、今回の電源オン期間ＴON2において、電源オン時の零点重量値が算出されると、この電源オン時の零点重量値と、記憶されている前回の電源オン期間ＴON1における電源オフ時の零点重量値との差として、電源オフ期間ＴOFFにおける零点変動量を算出する。
【００６７】
図２（ｂ）に示す電源オン期間ＴONにおける零点変動量を算出するために、電源オン期間ＴONにおいて電源がオンされた時点ｔ３の近傍の時点の零点重量値である電源オン時の零点重量値と、同じ電源オン期間ＴONにおいて電源がオフされた時点ｔ４の近傍の時点の零点重量値である電源オフ時の零点重量値とをそれぞれ算出して記憶しておく。そして、次回の電源オン期間ＴON3において、記憶されている電源オン期間ＴONにおける電源オン時の零点重量値と電源オフ時の零点重量値との差として、電源オン期間ＴONにおける零点変動量を算出する。なお、電源オン期間における零点変動量は、必ずしも次回の電源オン期間で算出しなくてもよく、電源オフ時の零点重量値を算出した時点で同時に電源オン期間における零点変動量を算出してもよい。
【００６８】
このように電源オフ期間における零点変動量及び電源オン期間における零点変動量のいずれの変動量の算出にも、電源がオンされた時点の近傍の時点の零点重量値である電源オン時の零点重量値及び電源がオフされた時点の近傍の時点の零点重量値である電源オフ時の零点重量値が必要である。
【００６９】
そこで、電源オン時の零点重量値の算出及び電源オフ時の零点重量値の算出について説明する。
【００７０】
先ず、電源オン時の零点重量値の算出について説明する。
【００７１】
計量装置の種類、用途によっては、次の２種類の動作を行うものがある。
【００７２】
すなわち、電源オン時に自動零点調整を実施する計量装置と、電源オン時に自動零点調整を実施しない計量装置とがある。
【００７３】
この実施形態の計量装置１は、上記のように台秤であり、台秤は、トラックスケールなどと同様に、電源オン時には、通常、計量台上に被計量物が載置されていないので、電源オン時に自動零点調整を実施する。
【００７４】
したがって、作業手順として、通常は、作業者が計量台上に被計量物が載置されていないことを確認して電源をオンし、この電源オンしたときに読み込んだデジタル荷重信号Ｗａｄによる測定重量値Ｋ・（Ｗａｄ−Ｗｉ）の値を、電源オン時の零点重量値として算出し、電源オン期間又は電源オフ期間中における零点変動量の算出に用いる。
【００７５】
このとき、算出した電源オン時の零点重量値を、メモリ７の不揮発性メモリに記憶すると共に、そのときのリアルタイムクロック素子１１からの期日・時刻データを読み込み、併せて日時データ記憶手段としてのメモリ７の不揮発性メモリに記憶する。
【００７６】
なお、電源オン時に自動零点調整を実施しない計量装置、例えば、組合せ秤では、計量台（計量ホッパ）上に被計量物が載置された状態で電源がオンされる可能性の高いので、電源オン時には、自動零点調整を実施しない。
【００７７】
このように電源オン時に自動零点調整を実施しない計量装置の場合には、電源オン後に手動零点調整または自動零点調整が初めて実施されたときに読み込んだデジタル荷重信号Ｗａｄによる測定重量値Ｋ・（Ｗａｄ−Ｗｉ）をもって電源オン時の零点重量値として算出し、電源オフ期間又は電源オン期間中における零点変動量の算出に用いる。
【００７８】
または、電源オン後の安定な状態において、初めて表示重量値の絶対値｜Ｗｎ｜が、予め定めた零点近傍の重量値Ｗｔ以下となったとき、すなわち、｜Ｗｎ｜≦Ｗｔが成立したときに読み込んだデジタル荷重信号Ｗａｄによる測定重量値Ｋ・（Ｗａｄ−Ｗｉ）を、電源オン時の零点重量値として算出してもよい。
【００７９】
あるいは、電源オン後に、手動零点調整、自動零点調整、又は、｜Ｗｎ｜≦Ｗｔの成立の、いずれか最も早い時点で読み込んだデジタル荷重信号Ｗａｄによる測定重量値Ｋ・（Ｗａｄ−Ｗｉ）を、電源オン時の零点重量値として算出してもよい。
【００８０】
電源オン時に自動零点調整を実施しない計量装置においても、算出した電源オン時の零点重量値を、メモリ７の不揮発性メモリに記憶すると共に、そのときのリアルタイムクロック素子１１からの期日・時刻データを読み込み、併せてメモリ７の不揮発性メモリに記憶する。
【００８１】
次に、電源オフ時の零点重量値の算出について説明する。
【００８２】
電源オン時に自動零点調整を実施するか否かに拘らず、電源がオフされる直前の手動零点調整、又は、自動零点調整が実施されたときに読み込んだデジタル荷重信号Ｗａｄによる測定重量値Ｋ・（Ｗａｄ−Ｗｉ）を、電源オフ時の零点重量値として算出し、電源オフ期間又は電源オン期間中における零点変動量の算出に用いる。同時にリアルタイムクロック素子１１からの期日・時刻データを読み込み、零点重量値Ｋ・（Ｗａｄ−Ｗｉ）と併せてメモリ７の不揮発性メモリに記憶させる。
【００８３】
または、電源がオフされる直前の安定な状態における表示重量値Ｗｎの絶対値｜Ｗｎ｜が、予め定めた零点近傍の重量値Ｗｔ未満となったとき、すなわち、｜Ｗｎ｜＜Ｗｔであるときに読み込んだデジタル荷重信号Ｗａｄによる測定重量値Ｋ・（Ｗａｄ−Ｗｉ）を、電源オフ時の零点重量値として算出してもよい。算出した電源オフ時の零点重量値は、リアルタイムクロック素子１１からの期日・時刻データと共に、メモリ７の不揮発性メモリに記憶させてもよい。
【００８４】
あるいは、電源がオフされる直前に、手動零点調整、自動零点調整、又は、｜Ｗｎ｜≦Ｗｔの成立の、いずれか最も遅い時点で読み込んだデジタル荷重信号Ｗａｄによる測定重量値Ｋ・（Ｗａｄ−Ｗｉ）を、電源オフ時の零点重量値として算出してもよい。
【００８５】
要するに電源オン期間中に常に最新の零点重量値を、零点重量値が得られた期日・時刻データと共にメモリ７の不揮発性メモリに更新記憶し、電源オフ時にそれらの値が不揮発性メモリに残るようにすればよい。
【００８６】
次に、電源オフ期間中における零点変動量の算出及び異常の有無の判定について説明する。
【００８７】
上記のようにして電源オン時の零点重量値が算出されて、対応する期日・時刻データと共に不揮発性メモリに記憶される一方、電源オフ時の零点重量値が算出されて、対応する期日・時刻データと共に不揮発性メモリに記憶される。
【００８８】
したがって、例えば、上記図２（ａ）の電源オフ期間ＴOFF期間の零点変動量は、今回の電源オン期間ＴON2における電源オン時の零点重量値と、前回の電源オン期間ＴON1における電源オフ時の零点重量値とを不揮発性メモリからそれぞれ読み出してその差を取れば算出することができる。すなわち、電源オフ期間中（運転休止期間中）のみにおける零点変動量を算出することができる。このようにして、電源がオンされて電源オン期間が開始される度に、その直前の電源オフ期間中における零点変動量が算出される。
【００８９】
この実施形態では、電源オフ期間を規定する電源をオフした時点の期日・時刻データ及び電源をオンした時点の期日・時刻データと、その電源オフ期間である運転休止期間中における零点変動量を不揮発性メモリに記憶すると共に、表示部９に表示させる。しかも、これを、例えば最新の複数組分であるＮ組分、或いは、零点重量値の差の大きい順に、Ｎ個分まで不揮発性メモリに記憶させ、表示部９に表示させる。これによって、運転休止期間中の零点変動量の大きさを容易に目視で評価、判定することができる。
【００９０】
このように零点重量値の差である零点変動量の値と、それに対応する期日・時刻を表示するので、いつの運転休止期間中にどれだけの零点変動が生じたかを把握することができる。したがって、例えば、運転休止期間中における計量台の着脱作業や清掃作業が適切でなく、零点変動量が許容値未満の大きさであっても、大きく変化したような場合には、その原因である運転休止期間中における計量台の着脱作業や清掃作業内容を見直して改善することができる。
【００９１】
また大きい零点変動の期日が、計量装置１の輸送期間中や移設期間中であれば、零点変動の原因が、輸送や移設によるものであることが容易に明らかとなる。
【００９２】
更に、この実施形態では、判定手段としてのＣＰＵ６は、算出した運転休止期間中における零点変動量が、予め定めた許容値以上であるときには、荷重センサ等の異常であると判定して、報知手段としての表示部９に、異常と判定された運転休止期間を特定した警報表示を行うので、作業者が、運転休止期間中の零点変動量の大きさを目視で確認して評価する必要がない。
【００９３】
次に電源オン期間中における零点変動量の算出及び異常の有無の判定について説明する。
【００９４】
例えば、上記図２（ｂ）に示す電源オン期間ＴONにおける零点変動量は、同一の電源オン期間ＴONにおける電源オン時の零点重量値と電源オフ時の零点重量値とを不揮発性メモリからそれぞれ読み出してその差を取れば算出することができる。すなわち、電源オン期間中（運転期間中）のみにおける零点変動量を算出することができる。このようにして、電源がオンされて電源オン期間が開始される度に、前回の電源オン期間中の零点変動量が算出される。
【００９５】
この実施形態では、上記電源オフ期間の場合と同様に、電源オン期間を規定する電源をオンした時点の期日・時刻データ及び電源をオフした時点の期日・時刻データと、その電源オン期間である運転期間中における零点変動量を不揮発性メモリに記憶すると共に、表示部９に表示させる。しかも、これを、例えば最新の複数組分であるＮ組分、或いは、零点重量値の差の大きい順に、Ｎ個分まで不揮発性メモリに記憶させ、表示部９に表示させる。これによって、運転期間中の零点変動量の大きさを容易に目視で評価、判定できる。
【００９６】
この電源オン期間中の零点変動量については、電源がオンされて電源オン期間が開始される度に、前回の電源オン期間中の零点変動量を算出して表示させる以外に、電源オン時に零点重量値が記憶され、それ以降の電源オン期間中の零点調整が実施され零点重量値が求められる度に、零点調整が実施された時点における零点重量値と電源オン時の零点重量値とによって零点変動量を算出し、電源オン時の期日・時刻データと、電源オン期間中に零点調整が実施された時点の電源オン時の期日・時刻データとともに現在零点変動量として表示させ、電源オン期間中は、新たに零点調整が実施される度に零点変動量と零点調整実施時の期日・時刻データが更新されるようにしてもよい。
【００９７】
更に、この実施形態では、算出した運転期間中における零点変動量が、予め定めた許容値以上であるときには、荷重センサ等の異常であると判定して、表示部９に、異常と判定された運転期間を特定した警報表示を行う。
【００９８】
次に、図３及び図４のフローチャートに基づいて、この実施形態の動作を説明する。
【００９９】
先ず、図３に示すように電源をオンし、プログラムが起動すると、前回の電源オン期間である運転期間中の零点変動量を、前回の電源オフ時の零点重量値から前回の電源オン時の零点重量値を差し引いて算出する(ステップｎ１)。
【０１００】
次に、算出した前回の運転期間中の零点変動量と、運転期間の期日・時刻データを含む最新のＮ個分の運転期間中の零点変動量を、不揮発性メモリの表示テーブルに更新記憶すると共に、表示部９に表示し、メモリテーブルに更新記憶する(ステップｎ２)。
【０１０１】
次に、算出した前回の運転期間中の零点変動量が、異常であるか否か、すなわち、前回の運転期間中の零点変動量の絶対値が、予め定めた許容値Ｗｓｔ以上であるか否かを判断し(ステップｎ３)、許容値Ｗｓｔ以上であるときには、前回の運転期間中の零点変動量に異常があったことを示す警報表示を、表示部９に表示して報知する(ステップｎ４)。
【０１０２】
また、前回の運転期間中の零点変動量の絶対値が、許容値Ｗｓｔ以上でないときには、回路や荷重センサのウオーミングアップ待ちのタイマーを作動させ(ステップｎ５)、タイマーの作動完了後に、フィルタ処理されたデジタル荷重信号Ｗａｄを取得する(ステップｎ６)。例えば１ｍｓｅｃ毎にデジタル荷重信号Ｗａｄを読み込んでフィルタ処理を行う。このフィルタ処理は、図３の処理よりも優先度が高い処理プログラム（図示せず）で行う。
【０１０３】
次に安定判別処理を行って（ステップｎ７）、安定であるか否かを判断する（ステップｎ８）。安定判別処理は、例えば、次のようにして行われる。すなわち、フィルタ処理されたデジタル荷重信号Ｗａｄの最新の複数個であるＭ個をシフトレジスタＳＲへ発生順にストアすると共に、最も古いデジタル荷重信号Ｗａｄを廃棄するようにし、前記シフトレジスタＳＲの全ての（Ｍ個の）のデジタル荷重信号Ｗａｄの最大値と最小値との差が、予め定めた最大幅Ｒ以下であるときに（最大値−最小値≦Ｒ）、安定であると判断する。
【０１０４】
ステップｎ８で、安定でないと判断したときには、ステップｎ７に戻り、安定するまで待機する。
【０１０５】
ステップｎ８で、安定であると判断したときには、前記シフトレジスタＳＲにストアされているＭ個のデジタル荷重信号Ｗａｄの平均値を算出し、算出した平均値を、改めてデジタル荷重信号Ｗａｄとし、電源オン時の零点重量値として測定重量値Ｋ・（Ｗａｄ−Ｗｉ）を算出すると共に、表示重量値Ｗｎを、Ｗｎ＝Ｋ・（Ｗａｄ−Ｗｉ）−Ｗｚによって算出し（ステップｎ９）、図４のステップｎ１０に移る。
【０１０６】
図４のステップｎ１０では、表示重量値Ｗｎが、零点付近の重量値であるか否かを判定するために、表示重量値Ｗｎの絶対値｜Ｗｎ｜が、予め設定された境界値Ｗｔ以下であるか否かを判断し、境界値Ｗｔ以下であるときには、零点付近の重量値であるので、リアルタイムクロック素子１１からの期日・時刻データを読込み（ステップｎ１１）、表示重量値Ｗｎを求める際に算出した電源オン時の零点重量値であるＫ・（Ｗａｄ−Ｗｉ）と共に不揮発性メモリに記憶し、今回の電源オン時の零点重量値及び期日・時刻データとする（ステップｎ１２）。ここで、前回の電源オン時における零点重量値及び期日・時刻データは今回分の零点重量値及び期日・時刻データに更新され、次回の電源オン期間での零点変動量の算出に備える。
【０１０７】
次に、今回の電源オン時の零点重量値から前回の電源オフ時に記憶された電源オフ時の零点重量値を差し引き、直前の電源オフ期間中である運転休止期間中の零点変動量を算出する（ステップｎ１３）。
【０１０８】
算出した運転休止期間中の零点変動量と、運転休止期間の期日・時刻データを含む最新のＮ個分の運転休止期間中の零点変動量を、不揮発性メモリの表示テーブルに更新記憶すると共に、表示部９に表示し、メモリテーブルに更新記憶する(ステップｎ１４)。
【０１０９】
次に、算出した直前の電源オフ期間である運転休止期間中の零点変動量が、異常であるか否か、すなわち、直前の運転休止期間中の零点変動量の絶対値が、許容値Ｗｓｔ以上であるか否かを判断し(ステップｎ１５)、許容値Ｗｓｔ以上であるときには、直前の運転休止期間中の零点変動量に異常があったことを示す警報表示を、表示部９に表示して報知する(ステップｎ１６)。また、許容値Ｗｓｔ以上でないときには、表示重量値Ｗｎの値を、零点変動値Ｗｚの内容に加えて零点変動値Ｗｚを更新することによって表示重量値Ｗｎ＝０とする自動零点調整を実施して終了する（ステップｎ１７）。
【０１１０】
上記ステップｎ１０で、表示重量値Ｗｎの絶対値｜Ｗｎ｜が、予め設定された境界値Ｗｔ以下でないときには、電源をオンした直後に重量値Ｗｎが零付近でないので、作業者に、計量台上に被計量物等が載置されていないかの確認を促すための計量台確認警報信号を出力し、表示部９に表示する（ステップｎ１８）。この場合、計量台上に電源をオンする前に被計量物等が載置されていた、あるいは、電源オフ期間中に零点重量値が大きく変動したのいずれか、あるいは、その両方が生じていることになる。計量台上に被計量物等が載置されていた場合には、作業者が被計量物等を除去して、入力部８の確認警報リセットキーを操作する。
【０１１１】
これによって、ステップｎ１９では、警報がリセットされたとして、図３のステップｎ６に戻る。計量台上に被計量物等が載置されていないのに上記の警報信号が出力されて表示されてときには、作業者は、計量台上や荷重センサなどを調べる。
【０１１２】
なお、図３、図４には、記載していないが、電源オフ時の零点重量値は、次のように記憶する。例えば、計量装置１が、電源オフ直前の手動零点調整時における零点重量値を電源オフ時の零点重量値として記憶するものであれば、手動零点調整操作に応じた指令がある度に、デジタル荷重信号Ｗａｄが、上記の安定判別処理で安定と判別された時点において、安定な測定重量値Ｋ・（Ｗａｄ−Ｗｉ）を算出する。この算出した測定重量値Ｋ・（Ｗａｄ−Ｗｉ）を、電源オフ時の零点重量値とすると共に、算出したタイミングにおいてリアルタイムクロック素子１１より期日・時刻データを読み込み、零点重量値Ｋ・（Ｗａｄ−Ｗｉ）と併せて不揮発性メモリに、今回の電源オフ時の零点重量値及び期日・時刻データとして記憶する。ここで、前回の電源オフ時の零点重量値及び期日・時刻データは今回分の零点重量値及び期日・時刻データに更新される。
【０１１３】
零点重量値及び期日・時刻データは、運転期間中の手動零点調整の度に更新されるので、或るタイミングに電源がオフされると、オフされた時点で記憶されている零点重量値と期日・時刻データが、電源オフ時の零点重量値と期日・時刻データとなる。
【０１１４】
図５は、零点変動量及び期日・時刻データの表示例を示すテーブルであり、同図（ａ）は運転期間中の零点変動量及び期日・時刻データの例を示し、同図（ｂ）は運転休止期間中の零点変動量及び期日・時刻データの例を示すものである。
【０１１５】
先ず、図５（ａ）に基づいて、運転期間中の表示について説明する。
【０１１６】
計量装置１は、２０１３年０７月０１日０８時３０分０５秒に電源がオンされ、電源オン時の零点重量値ｗｚｓ１と期日・時刻データの記憶を開始する。同日１８時０２分１０秒に運転を終え、電源をオフして電源オフ時の零点重量値ｗｚｅ１と期日・時刻データを記憶させる。
【０１１７】
翌日の７月２日８時３１分２０秒に電源がオンされると、その時点で前回の運転期間中に対応する順番１の欄に、前日の７月１日の運転期間中の零点変動量として、例えば、ｗｚｅ１−ｗｚｓ１＝５．２（ｇ）の値を算出して表示部９に表示すると共に、記憶する。同時に、その運転期間の開始に対応する電源オン時の期日・時刻データとして、１３年０７月０１日０８時３０分０５秒を表示すると共に、運転期間の終了に対応する電源オフ時の期日・時刻データとして、１３年０７月０１日１８時０２分１０秒を表示する。そして、今回の電源オン時の零点重量値ｗｚｓ２と期日・時刻データを記憶させる。同日１８時０７分１５秒に運転を終え、電源をオフして電源オフ時の零点重量値ｗｚｅ２と期日・時刻データを記憶させる。
【０１１８】
翌日の７月３日８時３０分５０秒に電源がオンされると、その時点で前回の運転期間中に対応する順番２の欄に、前日の７月２日の運転期間中の零点変動量として、例えば、ｗｚｅ２−ｗｚｓ２＝３．５（ｇ）の値を算出して表示部９に表示すると共に、記憶する。同時に、その運転期間の開始に対応する電源オン時の期日・時刻データとして、１３年０７月０２日０８時３１分２０秒を表示すると共に、運転期間の終了に対応する電源オフ時の期日・時刻データとして、１３年０７月０２日１８時０７分１５秒を表示する。そして、今回の電源オン時の零点重量値ｗｚｓ３と期日・時刻データを記憶させる。同日１８時０３分１８秒に運転を終え、電源をオフして電源オフ時の零点重量値ｗｚｅ３と期日・時刻データを記憶させる。
【０１１９】
翌日の７月４日８時３０分４２秒に電源がオンされると、その時点で前回の運転期間中に対応する順番３の欄に、前日の７月３日の運転期間中の零点変動量として、例えば、ｗｚｅ３−ｗｚｓ３＝２．６（ｇ）の値を算出して表示部９に表示すると共に、記憶する。同時に、その運転期間の開始に対応する電源オン時の期日・時刻データとして、１３年０７月０３日０８時３０分５０秒を表示すると共に、運転期間の終了に対応する電源オフ時の期日・時刻データとして、１３年０７月０３日１８時０３分１８秒を表示する。そして、今回の電源オン時の零点重量値ｗｚｓ４と期日・時刻データを記憶させる。同日１８時４分２０秒に運転を終え、電源をオフして電源オフ時の零点重量値ｗｚｅ４と期日・時刻データを記憶させる。
【０１２０】
以下、同様にして、電源オン時の零点重量値ｗｚｓと期日・時刻データを記憶すると共に、電源オフ時の零点重量値ｗｚｅと期日・時刻データを記憶し、電源がオンされる度に、前回の運転期間中の零点変動量を算出して記憶し、表示部９に運転期間を示す期日・時刻データと共に表示する。
【０１２１】
なお、異常の有無の判定結果を、異常サインの欄に表示する。また、テーブルの欄がＮ個で一杯になると最古のデータを廃棄し、表示欄を一つ上げて新しいデータをＮ番目に入れる。
【０１２２】
次に、図５（ｂ）に基づいて、運転休止期間中の零点変動量の表示について説明する。
【０１２３】
計量装置１は、上記のように、２０１３年０７月０１日０８時３０分０５秒に電源がオンされて運転が開始され、同日１８時２分１０秒に運転を終え、電源をオフして電源オフ時の零点重量値ｗｚｅ１と期日・時刻データが記憶される。
【０１２４】
翌日の７月２日の８時３１分２０秒に電源オンすると、上記のように電源オン時の零点重量値ｗｚｓ２と期日・時刻データが記憶される。その時点で直前の運転休止期間中に対応する順番１の欄に、前日の運転終了から今回の運転開始までの運転休止期間中の零点変動量として、例えば、ｗｚｓ２−ｗｚｅ１＝２．８（ｇ）の値を算出して表示部９に表示する共に、記憶する。同時に、その運転休止期間の開始に対応する電源オフ時の期日・時刻データとして、１３年０７月０1日１８時０２分１０秒を表示すると共に、運転休止期間の終了に対応する電源オン時の期日・時刻データとして、１３年０７月０２日０８時３１分２０秒を表示する。同日１８時７分１５秒に運転を終え、電源をオフして電源オフ時の零点重量値ｗｚｅ２と期日・時刻データを上記のように記憶させる。
【０１２５】
翌日の７月３日８時３０分５０秒に電源オンすると、上記のように電源オン時の零点重量値ｗｚｓ３と期日・時刻データが記憶される。その時点で直前の運転休止期間に対応する順番２の欄に、前日の７月２日の運転終了から今回の運転開始までの運転休止期間中の零点変動量として、例えば、ｗｚｓ３−ｗｚｅ２＝１０．３（ｇ）の値を算出して表示部９に表示すると共に、記憶する。このとき、運転休止期間中の零点変動量の許容値Ｗｓｔとして、１０ｇが設定されているとすれば、警報表示として、例えば、異常サインの欄に×印を表示する。×印が表示されると、作業者はその運転休止期間における計量台の取り外し作業や清掃作業の内容をチェックし、ロードセルＬＣの表面の結露状態を直ちに調べる。
【０１２６】
この直前の運転休止期間中の零点変動量の表示と同時に、その運転休止期間の開始に対応する電源オフ時の期日・時刻データとして、１３年０７月０２日１８時０７分１５秒を表示すると共に、運転休止期間の終了に対応する電源オン時の期日・時刻データとして、１３年０７月０３日０８時３０分５０秒を表示する。同日１８時３分１８秒に運転を終え、電源をオフして電源オフ時の零点重量値ｗｚｅ３と期日・時刻データを上記のように記憶させる。
【０１２７】
翌日の７月４日の８時３０分４２秒に電源がオンされると、上記のように電源オン時の零点重量値ｗｚｓ４と期日・時刻データが記憶される。その時点で直前の運転休止期間に対応する順番３の欄に、前日の７月３日の運転終了から今回の運転開始までの運転休止期間中の零点変動量として、例えば、ｗｚｓ４−ｗｚｅ３＝５．２（ｇ）の値を算出して表示部９に表示すると共に、記憶する。同時に、その運転休止期間の開始に対応する電源オフ時の期日・時刻データとして、１３年０７月０３日１８時０３分１８秒を表示すると共に、運転休止期間の終了に対応する電源オン時の期日・時刻データとして、１３年０７月０４日０８時３０分４２秒を表示する。
【０１２８】
以下、同様にして、電源オン時の零点重量値ｗｚｓと期日・時刻データを記憶すると共に、電源オフ時の零点重量値ｗｚｅと期日・時刻データを記憶し、電源がオンされる度に、直前の運転休止期間中の零点変動量を算出して記憶し、表示部９に運転休止期間を示す期日・時刻データと共に表示する。
【０１２９】
図５において、運転期間中及び運転休止期間中ともに零点変動量の大きい値から順にＮ個を表示するようにしてもよい。
【０１３０】
上記実施形態では、計量台への被計量物の付着について、考慮しなかったけれども、本発明の他の実施形態として、計量台への被計量物の付着を考慮して異常の有無を検出するようにしてもよい。
【０１３１】
次に、計量台への被計量物の付着を考慮した異常の有無の検出について説明する。
【０１３２】
計量装置や被計量物によっては、計量台、例えば計量ホッパに被計量物が付着する場合があり、また、運転休止期間中に計量台の洗浄等の清掃作業を行う場合がある。
【０１３３】
このように計量装置の計量台に被計量物が付着し、運転休止期間中に計量台の清掃作業が行われる場合には、運転を終了した電源オフ時における被計量物の付着分が、運転休止期間である電源オフ期間中に清掃されて除去されるので、次回の電源オン時には、被計量物の付着分が、運転休止期間中のマイナスの零点変動量として現れる。
【０１３４】
そこで、被計量物の付着による零点変動量として、例えば定格荷重の±２％の値を設定し、電源をオンした時点で、直前の運転休止期間中の零点変動量に基づいて、異常の有無の判定を次のようにして行う。
【０１３５】
被計量物が、計量台へ付着する性質を有しない場合には、運転休止期間中の零点変動量の絶対値が、定格荷重の±２％の値を超えると、被計量物の付着による零点変動ではないので、運転休止期間中の零点変動量が過大であり、異常である旨の警報信号を出力し、表示部９に警報表示を行う。
【０１３６】
被計量物が、計量台へ付着する性質を有し、運転休止期間中に付着物を除去する清掃作業が実施される場合には、予め運転期間中の被計量物の付着量を測定して把握し、平均的な付着量(平均付着量)を設定しておく。
【０１３７】
例えば平均付着量が、定格荷重の０．５％とすると、零点変動量は、荷重センサの零点変動がなくても運転休止期間中に付着物の除去によってマイナス方向に定格荷重の０．５％の零点変動が生じるので、平均付着量を見込んでマイナス方向の許容値は、定格荷重の−２．５％、プラス方向の許容値は、定格荷重の＋１．５％とする。つまり、異常の有無の判定について、被計量物の付着量の補正を行う。かかる被計量物の付着量の補正を行うためには、予め入力部８を操作して、計量台へ付着する性質を有する被計量物であるか否か、計量台に付着する被計量物であるときには、その平均付着量、運転休止期間中に清掃作業を行うか否かといった設定を行う。
【０１３８】
なお、算出される零点変動量を、被計量物の平均付着量で補正するようにしてもよい。すなわち、運転休止期間中に被計量物の付着を除去する清掃作業を行う場合は、運転休止期間中の零点変動量として算出した値に、予め設定された平均付着量を加えて許容値と大小比較する。
【０１３９】
また、組合せ秤のように多くの計量台、すなわち、多くの計量ホッパを使用する計量装置では、運転休止期間中に付着物を除去する清掃作業が実施される場合でも、運転休止期間中の多くの計量台の零点変動量の平均値を基準にして個別の計量台の零点変動量の大きさを判定するようにすると、被計量物は、いずれの計量台に対してほぼ同じ量だけ付着するものとすれば、特別に付着量を設定しなくても相対比較によって零点変動量の大きさを評価して異常の有無を判定することができる。
【０１４０】
相対比較を使用するにおいて、零点変動の異常が同時に複数の計量台に生じる確率は小さいとする。また、全体の計量台の台数が多い場合には、少数の計量台に同時に異常が発生しても、零点変動量の大きさを評価して異常の有無を判定することは可能である。
【０１４１】
すなわち、全ての計量台の運転休止期間中の零点変動量の平均値は、殆ど全ての計量台の零点に異常が生じていなければ、そして被計量物が計量台（計量ホッパ）へ付着する性質があれば、平均付着量にほぼ等しい値となる。運転休止期間中に清掃作業が実施される場合には、付着物が除去されるので、マイナスの値となる。この値が運転休止期間中の正常な零点変動量として、基準値になる。
【０１４２】
また、被計量物に計量台へ付着する性質がなければ、平均零点変動量は、零付近の値となり、この値が基準値になる。
【０１４３】
各計量台の零点変動量と、これら何れかの基準値との差の絶対値を、予め設定した許容値、例えば定格荷重の２％の値と比較し、２％の値を超える零点変動量があれば、その計量台に対して零点変動量が過大であり、異常である旨の警報信号を出力して表示部９に警報表示を行う。
【０１４４】
次に、運転期間中における計量台への被計量物の付着を考慮した取扱いについて説明する。
【０１４５】
被計量物が、計量台へ付着する性質を有しない場合には、運転期間中と運転休止期間中の零点変動量を継続的に比較すれば、それぞれの期間における零点変動の生じる要因を推定するのに役立つ。またいずれの期間中の零点変動量が大きいかを容易に判断できる。
【０１４６】
例えば、被計量物が計量台へ付着する性質を有しないのに、運転期間中の零点変動量が、運転休止期間中の零点変動量より継続的に大きいときには、被計量物の供給時の衝撃荷重の影響が推定され、被計量物の供給動作を見直し、改善を図ることができる。
【０１４７】
反対に運転休止期間中の零点変動量が、運転期間中の零点変動量より継続的に大きいときには、結露による影響または清掃時に荷重センサから計量台の取り外し作業が影響していることが推定されるので、結露対策を講じたり、清掃作業方法を見直し改善を図ることになる。
【０１４８】
このように荷重センサが完全に使用できない状態に至る前に不具合を発見して、故障防止対策に役立たせることができる。
【０１４９】
なお、零点変動量に基づいて評価値を算出し、この評価値に基づいて異常の有無を判定してもよい。
【０１５０】
例えば、運転期間中と運転休止期間中の零点変動量をそれぞれ最新の所定回数であるＬ回分積算して平均値をそれぞれ評価値として算出し、それぞれ許容値を設定して比較したり、あるいは、運転期間中と運転休止期間中の零点変動量の差を評価値として算出し、その大小比較をすれば、より運転期間中と運転休止期間中の零点変動量の違いが明確になり好ましい。すなわち、度々起きている小さな零点重量値の増減変動が相殺され、過負荷の繰り返し、結露など、特別な要因による継続的な一方向の零点変動が明確に現れる。
【０１５１】
被計量物が、計量台へ付着する性質を有し、運転休止期間中に付着物を除去する清掃作業が実施される場合には、予め被計量物の付着量を測定して平均的な付着量である平均付着量を設定しておく。
【０１５２】
この場合は、零点変動量から被計量物の付着量の影響を除去するため、運転期間中の零点変動量から平均付着量を差し引いた値と、運転休止期間中の零点変動量に平均付着量を加えた値を、それぞれ許容値と比較する。
【０１５３】
また、本発明の他の実施形態として、運転休止期間中と運転期間中の何れの期間に特有の零点変動があるか否かを、次のように評価し、異常の有無を判定してもよい。
【０１５４】
すなわち、運転休止期間中の零点変動量と運転期間中の零点変動量の比率Ｒ１、または、運転休止期間中の零点変動量と運転期間中の零点変動量の差を取って評価値とし、この評価値に基づいて、異常の有無を判定する。
【０１５５】
例えば、評価値として比率Ｒ１を次式で算出する。
【０１５６】
Ｒ１＝運転休止期間中の零点変動量／運転期間中の零点変動量
ここで、運転休止期間及び運転期間は、時間的に隣り合う期間である。
【０１５７】
この比率Ｒ１に、例えば、許容値±０．２の判定レベルを設定し、電源がオンされる度に、前回の運転期間中の零点変動量と、直前の運転休止期間中の零点変動量とに基づいて、比率Ｒ１を算出し、算出した比率Ｒ１が、前記許容値＋０．２、例えば、１．２以上であるとき、あるいは、前記許容値−０．２、例えば、０．８以下であるときには、運転期間中または運転休止期間中の何れかの期間中に、特有の零点変動が生じたと判定するものである。
【０１５８】
この場合、運転期間中と運転休止期間中とに共通の要因による零点変動量は比率Ｒ１に影響を与えない。
【０１５９】
比較的小さい零点変動量であっても、何れかの期間に特有の零点変動要因があるときには、例えば、表示部９で警報表示を行う。
【０１６０】
また、１日において、電源オフ期間である運転休止期間と、電源オン期間である運転期間との長さは異なる場合があるので、運転休止期間と運転期間とにおける上記の零点変動量から次のように零点変動率、すなわち、運転休止期間と運転期間とにおける単位時間当たりの零点変動量を評価値として算出し、比較してもよい。
【０１６１】
すなわち、電源オフ時の期日・時刻データ及び次の電源オン時の期日・時刻データから求められる運転休止期間の時間長さと零点変動量とによって、運転休止期間中の零点変動率（＝単位時間当たりの零点変動量）が求まる。
【０１６２】
同様に電源オン期間中の零点変動率も求まる。期日・時刻データと共に運転休止期間中及び運転期間中の零点変動率を、不揮発性メモリに記憶しておき、それを読出して表示部９に表示し、これを、例えば最新のＮ組分、或いは零点変動率の大きさの順にＮ個分まで不揮発性メモリに記憶させ、表示部９に表示させるようにすれば、運転期間中のみの、及び運転休止期間中のみの、単位時間当たりの零点変動量の大きさが比較でき、評価、判定に利用できる。
【０１６３】
例えば、運転休止期間中の零点変動率が、運転期間中のそれより大きいときには、運転休止期間中の結露による零点変動ではないか、あるいは、運転期間中の零点変動率が、運転休止期間中のそれより大きいときには、被計量物の計量台への供給に問題があるのではないかといったように、期間別に零点変動量の要因を推定することができる。
【符号の説明】
【０１６４】
１      計量装置
２      計量器
３      指示計
４      演算増幅器
５      Ａ／Ｄ変換器
６      ＣＰＵ
７      メモリ
８      入力部
９      表示部
１１    リアルタイムクロック素子
ＬＤ    ロードセル
【図１】
2015152561.tif 000003
【図２】
2015152561.tif 000004
【図３】
2015152561.tif 000005
【図４】
2015152561.tif 000006
【図５】
2015152561.tif 000007